(57)【要約】【課題】パネル本体を枠体内に容易にかつ強固に装着固定することのできる構造のパネル装置を提供することである。【解決手段】枠辺２１ａに設けられた保持機構２５ａによってパネル本体１０が枠体２０内に保持されたパネル装置１００であって、保持機構２５ａは、枠辺２１ａに形成された孔２６０内に枠辺２１ａと略平行に配置される可動板片２５０と、可動板片２５０と孔２６０の縁とを連結して可動板片２５０を孔２６０内に位置するように支持する複数の支持腕片２５１ａ、２５１ｂとを有し、可動板片２５０を回動させることにより複数の支持腕片２５１ａ、２５１ｂが塑性変形しつつ複数の第１突出部２５３ａ、２５３ｂが孔２６０の縁部に乗り上げて可動板片２５０が枠体２６０の内方に移動し、第２突出部２５４ａ、２５４ｂが枠体２０内のパネル本体１０の側面を押圧してパネル本体１０が枠体２０内に保持されている構成となる。【選択図】図３
2007316286.tif 000002
【特許請求の範囲】
【請求項１】
枠体の少なくとも１つの枠辺に設けられた保持機構によってパネル本体が前記枠体内に保持されたパネル装置であって、
前記保持機構は、
前記枠辺の所定部位に形成された孔内に該枠辺と略平行に配置される可動板片と、
該可動板片と前記孔の縁とを連結して該可動板片を前記孔内に位置するように支持する複数の支持腕片とを有し、
前記可動板片は、
該枠体の外方に向けて突出し、該可動板片の前記枠辺と略平行な面内での回動によって同時的に前記孔の縁部における前記枠辺の内側面に乗り上げるように形成された複数の第１突出部と、
前記枠体の内方に向けて突出した第２突出部とを有し、
前記可動板片の前記回動によって前記複数の支持腕片が塑性変形しつつ前記複数の第１突出部が前記孔の縁部に乗り上げて前記可動板片が前記枠体の内方に移動し、前記第２突出部が前記枠体内の前記パネル本体の側面を押圧して前記パネル本体が前記枠体内に保持されていることを特徴とするパネル装置。
【請求項２】
前記枠体は、矩形形状であって、矩形板状のパネル本体が前記枠体に嵌め込まれ、
前記枠体の角を挟む２つの枠辺における前記角の近傍部位のそれぞれに、前記保持機構が設けられたことを特徴とする請求項１記載のパネル装置。
【請求項３】
前記複数の第１突出部のそれぞれは、前記可動板片の縁部の所定部分を前記枠体の外方に向けて折り曲げて形成されていることを特徴とする請求項１または２記載のパネル装置。
【請求項４】
前記第２突出部は、前記可動板片の縁部の所定部分を前記枠体の内方に向けて折り曲げて形成されていることを特徴とする請求項１乃至３のいずれかに記載のパネル装置。
【請求項５】
前記可動板片は、その略中央部に該可動板片を回動させるための工具が係合するための係合孔が形成されていることを特徴とする請求項１乃至４のいずれかに記載のパネル装置。
【請求項６】
前記孔の縁部における前記枠辺の内側面に、前記可動板片が回動した際に前記複数の第１突出部のそれぞれが摺動乗り上げする傾斜面が形成されていることを特徴とする請求項１乃至５のいずれかに記載のパネル装置。
【請求項７】
前記可動板片及び前記複数の支持腕片は、前記枠体と共に板金の打ち抜き及び曲げ加工によって形成されたことを特徴とする請求項１乃至６記載のパネル装置。
【発明の詳細な説明】
【技術分野】
【０００１】
本発明は、ＬＣＤパネルなどのパネル本体を枠体内に保持させた構造となるパネル装置に関する。
【背景技術】
【０００２】
従来、ＬＣＤパネルユニットが枠状の取付け部材に保持された構造となるパネル装置が提案されている（特許文献１参照）。このパネル装置では、先端に鉤形の係止爪の形成された複数のＬＣＤ保持部が枠状の取付け部材の外周部に設けられており、ＬＣＤパネルが枠状の取り付け部材と複数のＬＣＤ保持部の先端の係止爪とによって挟持されることにより保持されている。各ＬＣＤ保持部は弾性変形可能となり、ＬＣＤパネルを装着する際に各ＬＣＤ保持部が弾性変形することによりその装着が容易に行なえるようになっている。
【特許文献１】特開２００２−１６９４７７号公報
【発明の開示】
【発明が解決しようとする課題】
【０００３】
しかしながら、前述した従来のパネル装置では、ＬＣＤパネルの取付け部材に対する装着をよりし易くするために各ＬＣＤ保持部を弾性変形し易くすると、ＬＣＤパネルが各ＬＣＤ保持部の係止爪と枠状の取付け部材とによって把持されて当該取付け部材に装着された状態で、そのＬＣＤパネルを強固に取り付け部材に固定させることができない。このため、例えば、車載機器に搭載されるパネル装置では、車両の振動に共振して異音を発生するおそれがある。一方、ＬＣＤパネルを取り付け部材に強固に固定するために各ＬＣＤ保持部を弾性変形し難くすると、ＬＣＤパネルの取付け部に対する装着がし難くなってしまう。
【０００４】
本発明は、このような従来の問題を解決するためになされたもので、ＬＣＤパネル等のパネル本体を枠体内に容易にかつ強固に装着固定することのできる構造のパネル装置を提供するものである。
【課題を解決するための手段】
【０００５】
本発明に係るパネル装置は、枠体の少なくとも１つの枠辺に設けられた保持機構によってパネル本体が前記枠体内に保持されたパネル装置であって、前記保持機構は、前記枠辺の所定部位に形成された孔内に該枠辺と略平行に配置される可動板片と、該可動板片と前記孔の縁とを連結して該可動板片を前記孔内に位置するように支持する複数の支持腕片とを有し、前記可動板片は、該枠体の外方に向けて突出し、該可動板片の前記枠辺と略平行な面内での回動によって同時的に前記孔の縁部における前記枠辺の内側面に乗り上げるように形成された複数の第１突出部と、前記枠体の内方に向けて突出した第２突出部とを有し、前記可動板片の前記回動によって前記複数の支持腕片が塑性変形しつつ前記複数の第１突出部が前記孔の縁部に乗り上げて前記可動板片が前記枠体の内方に移動し、前記第２突出部が前記枠体内の前記パネル本体の側面を押圧して前記パネル本体が前記枠体内に保持されている構成となる。
【０００６】
このような構成により、可動板片を枠辺と略平行な面内において回動させると、該可動板片とそれの配置される孔の縁とを連結する複数の支持腕片が塑性変形しつつ、当該可動板片から枠体の外方に突出する複数の第１突出部が前記孔の縁部における前記枠辺の内側面に同時的に乗り上げるようになる。その結果、前記可動板片が枠体の内方に移動し、該可動板片から枠体の内方に突出する第２突出部が前記枠体内に嵌め込まれたパネル本体の側面を押圧してパネル本体が枠体内に保持される。
【０００７】
また、本発明に係るパネル装置において、前記枠体は、矩形形状であって、矩形板状のパネル本体が前記枠体に嵌め込まれ、前記枠体の角を挟む２つの枠辺における前記角の近傍部位のそれぞれに、前記保持機構が設けられた構成とすることができる。
【０００８】
このような構成により、矩形形状の枠体内に嵌め込まれた矩形板形状のパネル本体が該枠体の角を挟む近傍部位から押圧されることによりその枠体内に保持されるようになる。
【０００９】
また、本発明に係るパネル装置において、前記複数の第１突出部のそれぞれは、前記可動板片の縁部の所定部分を前記枠体の外方に向けて折り曲げて形成されている構成とすることができる。
【００１０】
このような構成により、板金の折り曲げ加工によって前記複数の第１突出部を可動板片に容易に形成することができるようになる。
【００１１】
更に、本発明に係るパネル装置において、前記第２突出部は、前記可動板片の縁部の所定部分を前記枠体の内方に向けて折り曲げて形成されている構成とすることができる。
【００１２】
このような構成により、板金の折り曲げ加工によって前記第２突出部を可動板片に容易に形成することができるようになる。
【００１３】
また、本発明に係るパネル装置において、前記可動板片は、その略中央部に該可動板片を回動させるための工具が係合するための係合孔が形成されている構成とすることができる。
【００１４】
このような構成により、マイナスドライバ等の工具を可動板片の係合孔に係合させて該工具を回動させることにより特別な構造の工具を用いなくても容易に可動板片を枠辺に略平行な面内で回動させることができるようになる。
【００１５】
また、本発明に係るパネル装置において、前記孔の縁部における前記枠辺の内側面に、前記可動板片が回動した際に前記複数の第１突出部のそれぞれが摺動乗り上げする傾斜面が形成されている構成とすることができる。
【００１６】
このような構成により、可動板片を回動させたときに、該可動板片から枠体の外方に向けて突出る各第１突出部が孔の縁部に形成された傾斜面を摺動しつつ徐々に乗り上げるようになるので、前記可動板片がよりスムーズに枠体の内方に移動するようになる。また、可動板片がパネル本体から受ける抗力を枠体で受けることが可能となり、支持腕片に、当該抗力がかかることがない。
【００１７】
更に、本発明に係るパネル装置において、前記可動板片及び前記複数の支持腕片は、前記枠体と共に板金の打ち抜き及び曲げ加工によって形成された構成とすることができる。
【００１８】
このような構成により、枠体、複数の第１突出部及び第２突出部を有する可動板片及び複数の支持腕片が板金の打ち抜き及び曲げ加工によって一括して形成されるので、保持機構を有する枠体をより容易に製造することができるようになる。
【発明の効果】
【００１９】
本発明に係るパネル装置によれば、保持機構における可動板片を回動させるという比較的簡易な操作によって、パネル本体を前記枠体内に保持させることができるので、パネル本体を枠体内に容易に装着固定することができる。また、従来のように保持部の弾性力を利用して支持するものではなく、剛体とし得る可動板片の複数の第１突出部によって積極的に押圧（押し付ける）し、回動後の可動板片を枠体で支持する構成としたことによりパネル本体を枠体内に保持させるようにしているので、そのパネル本体も枠体内により強固に装着固定することができるようになる。
【発明を実施するための最良の形態】
【００２０】
以下、本発明の実施の形態について、図面を用いて説明する。
【００２１】
本発明の実施の一形態に係るパネル装置は、図１に示すように構成されている。
【００２２】
図１において、このパネル装置１００は、矩形板形状のＬＣＤパネル（液晶表示パネル）１０（パネル本体）が板金にて成型された矩形形状の枠体２０内に保持された構造となる。枠体２０は、４つの枠辺２１ａ、２１ｂ、２１ｃ、２１ｄを有し、各枠辺２１ａ、２１ｂ、２１ｃ、２１ｄの内側縁に枠体２０の内方に突出するように受けフランジ部２２が形成されている。ＬＣＤパネル１０は、その前面（表示面）の周縁部が受けフランジ部２２にあてがわれるようにして枠体２０内に嵌め込まれる。
【００２３】
枠体２０の角Ｃ１を挟む２つの枠辺２１ａ、２１ｂにおける当該角Ｃ１の近傍部位に保持機構２５ａ、２５ｂが設けられている。また、前記角Ｃ１と枠体２０の対角線上にて対向する角Ｃ２を挟む２つの２つの枠辺２１ｃ、２１ｄの前記角Ｃ２の近傍部位には各枠辺２１ｃ、２１ｄと一体的に湾曲した板バネ２６ａ、２６ｂが枠体２０の内方に突出するように形成されている。このような枠体２０にＬＣＤパネル１０が、その側面１１ａ、１１ｂ、１１ｃ、１１ｄが枠辺２１ａ、２１ｂ、２１ｃ、２１ｄに対向するように嵌め込まれる。そして、後述するように各保持機構２５ａ、２５ｂがＬＣＤパネル１０の側面１１ａ、１１ｂを押圧することにより、ＬＣＤパネル１０の側面１１ｃ、１１ｄが枠辺２１ｃ、２１ｄに設けられた板バネ２６ａ、２６ｄに押し付けられた状態でＬＣＤパネル１０が枠体２０内に保持される。
【００２４】
各保持機構２５ａ、２５ｂの具体的な構造について説明する。
【００２５】
各保持機構２５ａ、２５ｂの詳細な構造は、図２に示すようになっている。図２は、枠体２０内においてＬＣＤパネル１０を押圧して保持する前の各保持機構２５ａ、２５ｂの状態を示している。
【００２６】
図２において、枠辺２１ａ（２１ｂ）の前記角Ｃ１の近傍部位（図１参照）に、その枠辺２１ａ（２１ｂ）の延びる方向が長手方向となる長方形状の孔２６０が形成され、その孔２６０内の略中央部に枠辺２１ａ（２１ｂ）と略平行となるように長方形状の可動板片２５０が配置されている。この可動板片２５０の各長辺の中央部位とそれに対向する孔２６０の長辺側縁とが概ね「く」の字状となる支持腕片２５１ａ、２５１ｂにて連結され、その２つの支持腕片２５１ａ、２５１ｂによって可動板片２５０が孔２６０内において支持されている。
【００２７】
可動板片２５０の中央部にはマイナスドライバの先端部分が係合することのできる矩形状の係合孔２５２が形成されている。可動板片２５０の一方の短辺側縁部の上側（受けフランジ２２から遠い側）部分及び他方の短辺側縁部の下側（受けフランジ２２に近い側）部分が枠体２０の外方（図２において「外」方向）に向けて突出するように折り曲げられ、２つの第１突出部２５３ａ、２５３ｂが形成されている。また、可動板片２５０の各短辺側縁部の第１突出部２５３ａ、２５３ｂに隣接した部分が枠体２０の内方（図２において「内」方向）に向けて突出するように折り曲げられ、２つの第２突出部２５４ａ、２５４ｂが形成されている。各第１突出部２５３ａ、２５３ｂの端面が孔２６０の縁に向けてテーパ状に形成されている。
【００２８】
孔２６０の各長辺側縁部それぞれの所定部位にはポケット部２５５ａ、２５５ｂが形成されている。各ポケット部２５５ａ、２５５ｂは、孔２６０の長辺側縁部における枠辺２１ａ（２１ｂ）の内側面を凹ますことにより絞り形成され、各ポケット部２５５ａ、２５５ｂの内面がその縁から徐々に立ち上がる傾斜面２５５ａａ、２５５ｂｂとなっている（後述する図４参照）。
【００２９】
なお、前述したように可動板片２５０が孔２６０内において２つの支持腕部２５１ａ、２５１ｂにて支持された構造となる２つの保持機構２５ａ、２５ｂの形成された枠体２０は、板金の打ち抜き及び折り曲げ加工によって製造することができる。これにより、２つの保持機構２５ａ、２５ｂの形成された枠体２０を一体で容易に製造することができる。
【００３０】
前述したような枠体２０内に嵌め込まれたＬＣＤパネル１０は次のようにして固定保持される。
【００３１】
各保持機構２５ａ、２５ｂが図２に示すような初期状態であるとき、孔２６０内にて２つの支持腕部２５１ａ、２５１ｂにて支持される可動板片２５０は、図４（ａ）及び図５（ａ）に具体的に示すように、枠辺２１ａ（２１ｂ）と同一の平面内にあって、２つの第１突出部２５３ａ、２５３ｂが枠体２０の外方（図において「外」方向）に向けて突出し、２つの第２突出部２５４ａ、２５４ｂが枠体２０の内方（図において「内」方向）に向けて突出している。そして、枠体２０内に嵌め込まれたＬＣＤパネル１０の側面１１ａ（１１ｂ）と枠体２０の内方に向けて突出する各第２突出部２５４ａ、２５４ｂとの間に隙間が開いている状態となっている（図５（ａ）参照）。
【００３２】
このような初期状態となる各保持機構２５ａ、２５ｂにおいて、マイナスドライバの先端部分を可動板片２５０の係合孔２５２に係合させ、そのマイナスドライバによって可動板片２５０を、図３に示すように各第１突出部２５３ａ、２５３ｂが孔２６０の縁部に形成されたポケット２５５ａ、２５５ｂに係合するように、時計回り方向に回動させる（枠辺２１ａ（２１ｂ）と略平行な面内での回動）。このような可動板片２５０の時計回り方向の回動によって、２つの支持腕片２５１ａ、２５１ｂが塑性変形（捩れ及び撓み）しつつ各第１突出部２５３ａ、２５３ｂが図４（ｂ）及び図５（ｂ）に示すように、孔２６０の縁部に形成されたポケット部２５５ａ、２５５ｂの内側の傾斜面２５５ａａ、２５５ｂｂに摺動しながら乗り上げていく。なお、図４（ｂ）及び図５（ｂ）は、ポケット２５５ｂ側の状態しか示されていないが、ポケット２５５ａ側の状態も同様である。
【００３３】
このようにして各第１突出部２５３ａ、２５３ｂが対応するポケット部２５５ａ、２５５ｂの傾斜面２５５ａａ、２５５ｂｂに乗り上げていく過程で、その傾斜面２５５ａａ、２５５ｂｂからの第１突出部２５３ａ、２５３ｂに対する抗力によって可動板片２５０が枠体２０の内方に向けて押され、前記回動によって捩れつつある２つの支持腕部２５１ａ、２５１ｂが更に枠体２０の内方に向けて撓み、可動板片２５０が、図４（ｂ）及び図５（ｂ）に示すように枠体２０の内方に向けて移動する。
【００３４】
この可動板片２５０の枠体２０の内方に向けた移動によって、可動板片２５０から突出する各第２突出部２５４ａ、２５４ｂが枠体２０内に嵌め込まれたＬＣＤパネル１０の側面１１ａ（１１ｂ）に突き当たって押圧する。このようにして、各保持機構２５ａ、２５ｂにおける可動板片２５０の各第２突出部２５４ａ、２５４ｂがＬＣＤパネル１０の側面１１ａ（１１ｂ）を押圧することにより、ＬＣＤパネル１０の他の側面１１ｃ、１１ｄが枠辺２１ｃ、２１ｄに設けられた板バネ２６ａ、２６ｂに押し付けられた状態で（図１参照）ＬＣＤパネル１０が枠体２０内に固定保持される。
【００３５】
前述したようなパネル装置１００では、各保持機構２５ａ、２５ｂにおける可動板片２５０を例えばマイナスドライバによって回動させるという比較的簡易な操作によって、ＬＣＤパネル１０を枠体１０内に保持させることができるので、ＬＣＤパネル１０を枠体１０内に容易に固定保持させることができる。また、従来のように保持部の弾性力を利用して支持するものではなく、剛体となる可動板片２５０の２つの第１突出部２５４ａ、２５４ｂがその側面１１ａ（１１ｂ）を積極的に押圧することによりＬＣＤパネル１０が枠体１０内に保持されるので、そのＬＣＤパネル１０も枠体２０内により強固に固定保持させることができるようになる。
【００３６】
また、可動板片２５０を回動させた際に各第１突出部２５３ａ、２５３ｂが摺動しつつ乗り上がる孔２６０の縁部に形成されたポケット部２５５ａ、２５５ｂの内側面が傾斜面２５５ａａ、２５５ｂｂとなっているので、可動板片２５０の回動量によって可動板片２５０の枠体１０内方への移動量をある程度コントロールすることができる。このため、枠体２０の内径寸法の精度や、ＬＣＤパネル１０の外形寸法の精度が特に高くなくても、常にＬＣＤパネル１０を枠体２０内に強固に保持させることができるようになる。
【００３７】
なお、前述した例では、可動板片２５０を回動させた際に各第１突出部２５３ａ、２５３ｂが孔２６０の縁部に形成されたポケット部２５５ａ、２５５ｂに係合するものであったが、孔２６０の縁部に特にポケット部２５５ａ、２５５ｂを形成しなくてもよい。この場合、可動板片２５０の回動によって各第１突出部２５３ａ、２５３ｂがその孔２６０の縁部にそのまま乗り上がっていくようになる。但し、前述したように内側が傾斜面２５５ａａ、２５５ｂｂとなるポケット部２５５ａ、２５５ｂを形成した場合のほうが、各第１突出部２５３ａ、２５３ｂが徐々に孔２６０の縁部（ポケット２５５ａ、２５５ｂの傾斜面２５５ａａ、２５５ｂｂ）に乗り上がることができるので、回動操作が容易にできるという点で好ましい。
【００３８】
また、可動板片２５０から枠体２０の外方に向けて突出する第１突出部の数は２つに限定されることなく、３つ以上であってもよい。この場合、各１突出部は、可動板片２５０を回動させたときに孔２６０の縁部に乗り上げるように、その形成部位及びその形状が決められる。
【００３９】
更に、可動板片２５０から枠体２０の内方に向けて突出する第２突出部の数は、２つに限定されることなく、１つであっても３つ以上であってもよい。この場合、各第２突出部は、可動板片２５０が回動して枠体２０の内方に向けて移動した際に、ＬＣＤパネル１０の側面１１ａ（１１ｂ）を有効に押圧することができるように、その形成部位及びその形状が決められる。
【００４０】
前述した例では、保持機構２５ａ、２５ｂが、枠体２０の角Ｃ１を挟む２つの枠辺２１ａ、２１ｂにおける当該角Ｃ１の近傍部位に設けられていたが（図１参照）、枠体２０に設けられるべき保持機構の数及びその位置は、適宜定めることができる。例えば、図１に示す例において、板バネ２６ａ、２６ｂのそれぞれに代えて保持機構を設けることができる。また、枠体２０における単一の枠辺の略中央部位に保持機構を設け、他の枠片の中央部位に板バネを設けるようにすることも、また、枠体２０の全ての枠辺２１ａ〜２１ｄそれぞれの中央部位に保持機構を設けるようにすることもできる。
【産業上の利用可能性】
【００４１】
以上、説明したように、本発明に係るパネル装置は、ＬＣＤパネル等のパネル本体を枠体内に容易にかつ強固に装着固定することのできる構造となり、ＬＣＤパネルなどのパネル本体を枠体内に保持させたパネル装置として有用である。
【図面の簡単な説明】
【００４２】
【図１】本発明の実施の一形態に係るパネル装置を示す分解斜視図である。
【図２】図１に示すパネル装置における保持機構の詳細を示す斜視図である。
【図３】図２に示す保持機構における可動板片を回動させた状態を示す斜視図である。
【図４】可動板片を回動させる前後の状態を示す一部切欠斜視図である。
【図５】可動板片を回動させる前後の状態を示す断面図である。
【符号の説明】
【００４３】
１０  ＬＣＤパネル（パネル本体）
１１  １１ａ、１１ｂ、１１ｃ、１１ｄ  パネル側面
２０  枠体
２１ａ、２１ｂ、２１ｃ、２１ｄ  枠辺
２２  受けフランジ部
２５ａ、２５ｂ  保持機構
２６ａ、２６ｂ  板バネ
１００  パネル装置
２５０  可動板片
２５１ａ、２５１ｂ  支持腕片
２５２  係合孔
２５３ａ、２５３ｂ  第１突出部
２５４ａ、２５４ｂ  第２突出部
２５５ａ、２５５ｂ  ポケット部
２５５ａａ、２５５ｂｂ  傾斜面
２６０  孔
【図１】
2007316286.tif 000003
【図２】
2007316286.tif 000004
【図３】
2007316286.tif 000005
【図４】
2007316286.tif 000006
【図５】
2007316286.tif 000007